(57)【特許請求の範囲】
【請求項１】
第１の電路を開閉する第１の開閉器に設けられたシャフトの回転に連動して前記第１の開閉器の開閉状態を出力する開閉状態出力部と、
第２の電路を開閉する第２の開閉器の閉状態を入力した場合に、前記第１の開閉器の閉状態を阻止する閉状態阻止部と、を備え、
前記開閉状態出力部は、
前記第１の開閉器の開閉状態を出力する一端部を他端部の移動に伴って移動させる伝達部と、
前記シャフトの前記回転に基づいて前記伝達部の前記他端部を移動させる駆動部と、を備え、
前記駆動部は、
前記第１の開閉器が開状態から閉状態になる場合の前記シャフトの回転方向が第１の方向である場合と前記第１の方向とは逆方向である第２の方向である場合とで前記伝達部の前記他端部を移動可能な構造を備える
ことを特徴とする開閉器のインターロック装置。
【請求項２】
前記駆動部は、
前記シャフトに取り付けられ、前記シャフトの回転に伴って回転する駆動プレートと、
前記シャフトの前記回転の方向が前記第１の方向である場合に前記駆動プレートに押されて前記伝達部の前記他端部を移動させる第１の作動部と、
前記シャフトの前記回転の方向が前記第２の方向である場合に前記駆動プレートに押されて前記伝達部の前記他端部を移動させる第２の作動部と、を備える
ことを特徴とする請求項１に記載の開閉器のインターロック装置。
【請求項３】
前記第１の作動部は、
前記伝達部の前記他端部に固定され、前記シャフトの前記回転の方向が前記第１の方向である場合に前記駆動プレートに押される第１の作動ピンを含み、
前記第２の作動部は、
前記シャフトの前記回転の方向が前記第２の方向である場合に前記駆動プレートに押される第２の作動ピンと、
一端部に前記第２の作動ピンが固定され、かつ、中途部が軸支されており、前記第２の作動ピンの移動に伴って前記中途部を中心として回転し、他端部が前記伝達部の前記他端部を押して移動させる連動プレートと、を備える
ことを特徴とする請求項２に記載の開閉器のインターロック装置。
【請求項４】
前記連動プレートは、
Ｕ字状に形成される
ことを特徴とする請求項３に記載の開閉器のインターロック装置。
【請求項５】
前記駆動部は、
前記シャフトに基端部が取り付けられ、前記シャフトの前記回転に伴って回転する駆動プレートと、
前記伝達部の前記他端部に固定され、回転した前記駆動プレートによって押された場合に前記伝達部の前記他端部を移動させる作動ピンと、を備え、
前記駆動プレートは、
前記シャフトの第１の位置に取り付けられた場合に前記シャフトの前記第１の方向への回転によって前記伝達部の前記他端部を移動させ、前記シャフトの第２の位置に取り付けられた場合に前記シャフトの前記第２の方向への回転によって前記伝達部の前記他端部を移動させる
ことを特徴とする請求項１に記載の開閉器のインターロック装置。
【請求項６】
前記駆動プレートは、
扇形状に形成される
ことを特徴とする請求項５に記載の開閉器のインターロック装置。
【請求項７】
請求項１から６のいずれか一つに記載の開閉器のインターロック装置である第１のインターロック装置と、
前記第１のインターロック装置に連結部材を介して連結される第２のインターロック装置と、
前記第１の開閉器と、
前記第２の開閉器と、を備える
ことを特徴とする開閉システム。
【発明の詳細な説明】
【技術分野】
【０００１】
本発明は、電路の開閉を行う複数の開閉器が同時に閉状態になることを防止する開閉器のインターロック装置および開閉システムに関する。
【背景技術】
【０００２】
従来、複数の開閉器が同時に閉状態になる並行投入を機械的に防止するインターロック装置が知られている。例えば、特許文献１には、一つの開閉器が閉状態になった場合にワイヤーを引っ張ることで他の開閉器の閉状態を規制するインターロック装置が開示されている。
【先行技術文献】
【特許文献】
【０００３】
【特許文献１】特開２００５−５０９３号公報
【発明の概要】
【発明が解決しようとする課題】
【０００４】
インターロック装置は、開閉器において電路の開閉状態を変化させるシャフトの回転を受けて動作する。しかしながら、従来のインターロック装置では、シャフトの回転方向が同一方向の複数の開閉器に適用されるため、シャフトの回転方向が異なる複数の開閉器がある場合、２種類のインターロック装置が必要である。【０００５】
本発明は、上記に鑑みてなされたものであって、開閉器のシャフトの回転方向に依存することなく開閉器の閉状態を出力することができる開閉器のインターロック装置を得ることを目的とする。
【課題を解決するための手段】
【０００６】
上述した課題を解決し、目的を達成するために、本発明の開閉器のインターロック装置は、第１の電路を開閉する第１の開閉器に設けられたシャフトの回転に連動して第１の開閉器の開閉状態を出力する開閉状態出力部と、第２の電路を開閉する第２の開閉器の閉状態を入力した場合に、第１の開閉器の閉状態を阻止する閉状態阻止部とを備える。開閉状態出力部は、第１の開閉器の開閉状態を出力する一端部を他端部の移動に伴って移動させる伝達部と、シャフトの回転に基づいて伝達部の他端部を移動させる駆動部とを備える。駆動部は、第１の開閉器が開状態から閉状態になる場合のシャフトの回転方向が第１の方向である場合と第１の方向とは逆方向である第２の方向である場合とで伝達部の他端部を移動可能な構造を備えることを特徴とする。
【発明の効果】
【０００７】
本発明によれば、開閉器のシャフトの回転方向に依存することなく開閉器の閉状態を出力することができる、という効果を奏する。
【図面の簡単な説明】
【０００８】
【図１】実施の形態１にかかる開閉システムの正面図
【図２】実施の形態１にかかる開閉システムの側面図
【図３】実施の形態１にかかる開閉器の開状態における内部構成を示す図
【図４】実施の形態１にかかる開閉器の閉状態における内部構成を示す図
【図５】実施の形態１にかかるインターロック装置が装着された開状態の開閉器の正面図
【図６】図５に示すVI−VI線に沿った断面図
【図７】図５に示すVII−VII線に沿った断面図
【図８】実施の形態１にかかる第１のインターロック装置の第１の開閉器が閉状態になった場合における状態を示す断面図
【図９】実施の形態１にかかる第１のインターロック装置と第２のインターロック装置との連動動作の説明図
【図１０】図９に示す状態の第２のインターロック装置が装着された第２の開閉器の正面図
【図１１】図２に示す開閉器とメインシャフトが逆回転する２つの開閉器と、２つのインターロック装置とを含む開閉システムの正面図
【図１２】図１１に示す開閉器に第１のインターロック装置が装着された状態を示す正面図
【図１３】図１１に示す開閉器の開状態における内部構成を説明する図
【図１４】図１２のXIV−XIV線に沿った断面図
【図１５】実施の形態１にかかる第１の開閉器に装着された第１のインターロック装置と第２の開閉器に装着された第２のインターロック装置との連動動作の説明図
【図１６】実施の形態１にかかる異なる形状の連動プレートを有する第１のインターロック装置の開状態における断面図
【図１７】図１６に示す状態から第１の開閉器が閉状態に移行した場合の状態を示すインターロック装置の断面図
【図１８】実施の形態２にかかるインターロック装置が側面に取り付けられた開状態の第１の開閉器の正面図
【図１９】図１８に示すXIX−XIX線に沿った断面図
【図２０】図１８に示すXX−XX線に沿った断面図
【図２１】実施の形態２にかかる第１のインターロック装置の第１の開閉器が閉状態になった場合における状態を示す断面図
【図２２】実施の形態２にかかる第１のインターロック装置の第１の開閉器が開状態である場合における状態を示す断面図
【図２３】実施の形態２にかかる第１のインターロック装置の第１の開閉器が閉状態になった場合における状態を示す断面図
【図２４】実施の形態２にかかる駆動プレートの他の形状を示す図
【図２５】実施の形態２にかかる駆動プレートの他の形状を示す図
【発明を実施するための形態】
【０００９】
以下に、本発明の実施の形態にかかる開閉器のインターロック装置および開閉システムを図面に基づいて詳細に説明する。なお、この実施の形態によりこの発明が限定されるものではない。
【００１０】
実施の形態１．
図１は、実施の形態１にかかる開閉システムの正面図であり、図２は、実施の形態１にかかる開閉システムの側面図である。実施の形態１にかかる開閉システム１は、第１の系統および第２の系統を含む複数系統の不図示の電路に接続され、各系統の電路の開閉を行う。なお、以下においては、説明の便宜上、Ｚ軸正方向を上方向とし、Ｚ軸負方向を下方向とし、Ｘ軸正方向を右方向とし、Ｘ軸負方向を左方向とし、Ｙ軸正方向を前方向とし、Ｙ軸負方向を後方向とする。
【００１１】
図１および図２に示すように、開閉システム１は、第１の系統の電路を開閉する第１の開閉器２ａと、第２の系統の電路を開閉する第２の開閉器２ｂと、第１の開閉器２ａの側面に装着される第１のインターロック装置３ａと、第２の開閉器２ｂの側面に装着される第２のインターロック装置３ｂとを備える。
【００１２】
第１の開閉器２ａおよび第２の開閉器２ｂは、大気中で電流を遮断する遮断器であり、気中遮断器とも呼ばれる。なお、第１の開閉器２ａおよび第２の開閉器２ｂは、電路の開閉を行う開閉器であればよく、気中遮断器以外の開閉器であってもよい。また、第１のインターロック装置３ａおよび第２のインターロック装置３ｂは、後述するように機械式のインターロック装置である。
【００１３】
第１のインターロック装置３ａと第２のインターロック装置３ｂとは、連結部材である第１のワイヤケーブル４ａおよび第２のワイヤケーブル４ｂによって連結されている。第１のワイヤケーブル４ａは、第１の開閉器２ａの開閉状態を第２のインターロック装置３ｂに伝達し、第２のワイヤケーブル４ｂは、第２の開閉器２ｂの開閉状態を第１のインターロック装置３ａに伝達する。
【００１４】
第１のワイヤケーブル４ａおよび第２のワイヤケーブル４ｂは、内部のワイヤーの移動により第１の開閉器２ａおよび第２の開閉器２ｂの開閉状態を伝達するワイヤケーブルであるが、第１の開閉器２ａおよび第２の開閉器２ｂの開閉状態の伝達は、ワイヤケーブル以外の部材によって行ってもよい。
【００１５】
なお、以下において、第１の開閉器２ａおよび第２の開閉器２ｂを区別せずに開閉器２と記載し、第１のインターロック装置３ａおよび第２のインターロック装置３ｂを区別せずにインターロック装置３と記載し、第１のワイヤケーブル４ａおよび第２のワイヤケーブル４ｂを区別せずにワイヤケーブル４と記載する場合がある。
【００１６】
まず、開閉器２の内部構成について説明する。図３および図４は、開閉器２の内部構成を示す図であり、図５は、インターロック装置３が装着された開状態の開閉器２の正面図である。図３は、開閉器２が開状態である場合を示し、図４は、開閉器２が閉状態である場合を示す。また、図５では、インターロック装置３として第１のインターロック装置３ａが示され、開閉器２として第１の開閉器２ａが示されている。
【００１７】
開閉器２の「閉状態」は、電路が閉状態になって開閉器２を介して電流が流れる状態であり、投入状態またはオン状態とも呼ばれる。また、開閉器２の「開状態」は、電路が開状態になって開閉器２によって電路の電流が遮断される状態であり、開放状態またはオフ状態とも呼ばれる。
【００１８】
図３および図４に示すように、開閉器２は、メインシャフト１０を有する開閉機構部１１を備えており、開閉機構部１１におけるメインシャフト１０の回転に連動して電路の開閉を行う。以下において、メインシャフト１０の回転方向についての記載は、図３および図４のように開閉器２を左側から見た場合のメインシャフト１０の回転方向を示す。
【００１９】
開閉機構部１１は、ソレノイドを含む電磁機構によってメインシャフト１０を回転させる構成であるが、ばね式の機構によってメインシャフト１０を回転させる構成またはその他の構成であってもよい。なお、電路の開閉のための開閉機構は周知であるため、開閉機構部１１の詳細な説明は省略する。
【００２０】
開閉器２は、一端部１２１がメインシャフト１０に軸支される第１のリンク１２と、一端部１３１が第１のリンク１２の他端部１２２に回転自在に接続され、他端部１３２にリンクピン１３ａが形成された第２のリンク１３と、第２のリンク１３の他端部１３２にリンクピン１３ａにより軸支されてリンクピン１３ａを中心に回転する可動子１４とを備える。可動子１４は、一端部１４１に可動接点１４ａを有する。
【００２１】
また、開閉器２は、不図示の電源側導体に接続され、固定接点１５ａを有する電源側固定導体１５と、不図示の負荷側導体に接続される負荷側固定導体１６と、一端部１７１が可動子１４の他端部１４２に接続され、他端部１７２が負荷側固定導体１６に接続された可撓導体１７と、リンクピン１３ａを中心として可動子１４を時計方向に付勢する接圧ばね１８とを備える。
【００２２】
図３に示す状態では、開閉器２は開状態であり、固定接点１５ａに可動接点１４ａが接触していない。すなわち、図３に示す状態である場合、開閉器２によって電路の電流が遮断されている状態になっている。図３に示す状態から、開閉器２が開状態から閉状態へ移行する場合、開閉機構部１１からの力を受けてメインシャフト１０が、図４に示すように、反時計方向に回転する。
【００２３】
具体的には、メインシャフト１０が反時計方向に回転することによって第１のリンク１２および第２のリンク１３が駆動され、第１のリンク１２と第２のリンク１３とが直線状に配置された状態となる。第１のリンク１２および第２のリンク１３の駆動によって、可動子１４が固定接点１５ａへ向けて移動し、可動子１４に形成された可動接点１４ａが固定接点１５ａに接触する。可動接点１４ａが固定接点１５ａに接触するとき、接圧ばね１８は、可動接点１４ａと固定接点１５ａとの間に接触圧力を与える。これにより、上述した電源側導体と負荷側導体との導通状態が維持され、電源側導体と負荷側導体を含む電路に電流が流れる。
【００２４】
また、開閉器２は、図３〜図５に示すように、インターロック装置３のインターロックプレート７３を回転自在に保持し、開閉器２の筐体６内から筐体６外へ延伸するシャフト２１と、シャフト２１に軸支され、インターロックプレート７３と共に回転するトリッププレート２２と、トリッププレート２２に駆動され、開閉機構部１１の不図示のラッチを引外して開閉器２をトリップさせるトリップバー２３とを備える。
【００２５】
図４に示すように開閉器２が閉状態である場合に、インターロック装置３によってトリッププレート２２が回転されると、メインシャフト１０が時計方向に回転して、開閉器２が図３に示す状態へ移行する。なお、図５に示すように、メインシャフト１０は、開閉器２の筐体６内から筐体６外へ延伸している。
【００２６】
次に、インターロック装置３の構成について説明する。なお、以下においては、インターロック装置３ａの構成を主に説明するが、インターロック装置３ｂも同じ構成である。図６は、図５に示すVI−VI線に沿った断面図であり、図７は、図５に示すVII−VII線に沿った断面図である。
【００２７】
図６に示すように、第１のインターロック装置３ａは、第１の開閉器２ａの開閉状態を出力する開閉状態出力部３１と、第２の開閉器２ｂの閉状態を入力した場合に、第１の開閉器２ａの閉状態を阻止する閉状態阻止部３２と、開閉状態出力部３１および閉状態阻止部３２を覆うケース部３３とを備える。
【００２８】
開閉状態出力部３１は、一端部４５が第１のワイヤケーブル４ａのワイヤー５ａに接続され、他端部４６の移動に伴って一端部４５が移動する伝達部４０と、第１の開閉器２ａにおけるメインシャフト１０の回転に基づいて伝達部４０の他端部４６を移動させる駆動部５０とを備える。
【００２９】
伝達部４０は、一端部４１１がワイヤー５ａに接続されたワイヤサポート４１と、一端部４２１がワイヤサポート４１の他端部４１２に連結ピン４３によって回転自在に連結された連動プレート４２と、ケース部３３に固定され、連動プレート４２の中途部を軸支するシャフト４４とを備える。ワイヤサポート４１の一端部４１１が伝達部４０の一端部４５であり、連動プレート４２の他端部４２２が伝達部４０の他端部４６である。
【００３０】
なお、伝達部４０は、図６に示す構成に限定されない。例えば、伝達部４０は、ワイヤサポート４１を設けずに、連動プレート４２の一端部にワイヤー５ａを直接接続する構成であってもよい。また、伝達部４０は、連動プレート４２を含む複数のプレートを備える構成であってもよい。このように、伝達部４０は、図６に示す構成に限られず、他端部４６の移動に連動して一端部４５が移動する構成であればよい。
【００３１】
駆動部５０は、メインシャフト１０に駆動され、メインシャフト１０の回転に伴ってメインシャフト１０を中心として回転する駆動プレート５１と、メインシャフト１０の回転方向が反時計方向である場合に、駆動プレート５１に押されて伝達部４０の他端部４６を移動させる第１の作動部５２と、メインシャフト１０の回転方向が時計方向である場合に駆動プレート５１に押されて伝達部４０の他端部４６を移動させる第２の作動部５３とを備える。なお、説明を分かり易くするために、図６に示すように、図７に示す駆動プレート５１の状態を二点鎖線で表す場合がある。
【００３２】
第１の作動部５２は、伝達部４０の他端部４６に固定され、メインシャフト１０の回転方向が反時計方向である場合に駆動プレート５１に押される作動ピン６１である。作動ピン６１の移動に伴って連動プレート４２の他端部４２２がシャフト４４を中心に反時計方向に回転して移動し、連動プレート４２の一端部４２１がシャフト４４を反時計方向に中心に回転して移動する。これにより、第１の開閉器２ａの閉状態への移行が駆動部５０および伝達部４０を介してワイヤー５ａに伝達される。
【００３３】
第２の作動部５３は、メインシャフト１０の回転方向が時計方向である場合に駆動プレート５１に押される作動ピン６２と、ケース部３３に固定されたシャフト６３と、一端部６４１に作動ピン６２が固定され、かつ、中途部がシャフト６３によって軸支される連動プレート６４とを備える。
【００３４】
連動プレート６４はＵ字状に形成されており、連動プレート６４の他端部６４２は、連動プレート６４がシャフト６３を中心に反時計方向に回転した場合に、伝達部４０の他端部４６に接触する。
【００３５】
閉状態阻止部３２は、第２のワイヤケーブル４ｂのワイヤー５ｂに接続されたワイヤサポート７１と、ワイヤサポート７１に固定され、第１の開閉器２ａに向けて延伸するトリップピン７２と、第１の開閉器２ａのシャフト２１に取り付けられるインターロックプレート７３とを備える。トリップピン７２が移動してインターロックプレート７３を押すことで、第１の開閉器２ａのシャフト２１が回転し第１の開閉器２ａがトリップして開状態になる。なお、説明を分かり易くするために、図６では、図７に示すインターロックプレート７３の状態を二点鎖線で表している。
【００３６】
次に、インターロック装置３の動作について説明する。図８は、第１の開閉器２ａが閉状態になった場合における第１のインターロック装置３ａの状態を示す断面図であり、図９は、第１のインターロック装置３ａと第２のインターロック装置３ｂとの連動動作の説明図である。図１０は、図９に示す状態の第２のインターロック装置３ｂが装着された第２の開閉器２ｂの正面図である。なお、図９では、説明の便宜上、第１のインターロック装置３ａと第２のインターロック装置３ｂとをＹ軸方向に沿って配置している。
【００３７】
第１の開閉器２ａが図６に示す開状態から閉状態へ移行する際に、第１の開閉器２ａのメインシャフト１０が反時計方向に回転する。そのため、メインシャフト１０に取り付けられている駆動プレート５１も反時計方向に回転し、図８に示すように、回転する駆動プレート５１の回転によって作動ピン６１が押し上げられる。
【００３８】
これにより、作動ピン６１が固定されている連動プレート４２の他端部４２２が押し上げられることから、連動プレート４２の一端部４２１がシャフト４４を中心として反時計方向に回転し、連動プレート４２の一端部に連結されたワイヤサポート４１が引き下げられる。
【００３９】
ワイヤサポート４１が引き下げられると、ワイヤサポート４１に固定されたワイヤー５ａも引き下げられる。図９に示すように、第１のインターロック装置３ａにおいてワイヤー５ａが引き下げられると、第２のインターロック装置３ｂにおいてワイヤサポート７１に接続されたワイヤー５ａが引き上げられる。これにより、第２のインターロック装置３ｂにおいて、トリップピン７２が取り付けられたワイヤサポート７１が引き上げられ、図１０に示すように、トリップピン７２によってインターロックプレート７３の先端部が押し上げられる。
【００４０】
インターロックプレート７３の先端部が押し上げられると、インターロックプレート７３がシャフト２１を中心に時計方向に回転する。インターロックプレート７３の回転により、インターロックプレート７３にシャフト２１で連結された第２の開閉器２ｂのトリッププレート２２も時計方向に回転する。
【００４１】
トリッププレート２２の回転によって図７に示すトリップバー２３が回転し、トリップバー２３の回転によって開閉機構部１１のラッチが引外される。これにより、第２の開閉器２ｂを閉状態にする投入動作ができなくなることから、第１の開閉器２ａが閉状態である場合において、第２の開閉器２ｂを開状態に維持させることができる。
【００４２】
すなわち、第１の開閉器２ａが投入されると、第２の開閉器２ｂが投入できなくなる。同様に、第２の開閉器２ｂが投入されると、第１の開閉器２ａが投入できなくなる。このように、実施の形態１にかかる開閉システム１においては、２つの開閉器２間において、一方の開閉器２が投入されると、他方の開閉器２は投入できなくなる。
【００４３】
次に、メインシャフト１０の回転方向が開閉器２と逆方向に回転する開閉器にインターロック装置３を取り付けた場合について説明する。
【００４４】
図１１は、図２に示す開閉器２とメインシャフト１０が逆回転する２つの開閉器と、２つのインターロック装置３ａ，３ｂとを含む開閉システムの正面図であり、図１２は、図１１に示す開閉器に第１のインターロック装置３ａが装着された状態を示す正面図であり、図１３は、図１１に示す開閉器の開状態における内部構成を説明する図である。
【００４５】
図１１に示す開閉システム１Ａでは、第１のインターロック装置３ａが第１の開閉器７ａに装着され、第２のインターロック装置３ｂが第２の開閉器７ｂに装着される。第１のインターロック装置３ａと第２のインターロック装置３ｂとは、第１のワイヤケーブル４ａおよび第２のワイヤケーブル４ｂによって連結されている。第１の開閉器７ａと第２の開閉器７ｂとは同一の構成であり、以下、第１の開閉器７ａおよび第２の開閉器７ｂを区別せずに開閉器７と記載する場合がある。
【００４６】
図１２および図１３に示す第１の開閉器７ａは、開状態から閉状態になるとき、メインシャフト１０が時計方向に回転する。その他の構成および動作については、開閉器２と同様であるため説明を省略する。
【００４７】
次に、第１の開閉器７ａに装着された第１のインターロック装置３ａの動作について説明する。図１４は、図１２のXIV−XIV線に沿った断面図であり、図１５は、第１の開閉器７ａに装着された第１のインターロック装置３ａと第２の開閉器７ｂに装着された第２のインターロック装置３ｂとの連動動作の説明図である。なお、図１５では、説明の便宜上、第１のインターロック装置３ａと第２のインターロック装置３ｂとをＹ軸方向に沿って配置している。
【００４８】
図１４に示すように、第１の開閉器７ａが開状態から閉状態へ移行する際に、第１の開閉器７ａのメインシャフト１０が時計方向に回転し、メインシャフト１０に取り付けられている駆動プレート５１も時計方向に回転する。
【００４９】
駆動プレート５１の回転により、駆動プレート５１が作動ピン６２を前方向へ向けて押すため、作動ピン６２がシャフト６３を中心に反時計方向に移動し、作動ピン６２が取り付けられた連動プレート６４がシャフト６３を中心に反時計方向に回転する。連動プレート６４が反時計方向に回転すると、連動プレート６４の他端部６４２が連動プレート４２の他端部４２２を押し上げる。これにより、連動プレート４２の一端部４２１がシャフト４４を中心として反時計方向に回転し、連動プレート４２の一端部４２１に連結されたワイヤサポート４１が引き下げられる。
【００５０】
ワイヤサポート４１が引き下げられると、ワイヤサポート４１に固定されたワイヤー５ａも引き下げられる。図１５に示すように、第１のインターロック装置３ａにおいてワイヤー５ａが引き下げられると、第２のインターロック装置３ｂにおいてワイヤサポート７１に接続されたワイヤー５ａが引き上げられる。これにより、第２のインターロック装置３ｂにおいて、トリップピン７２が取り付けられたワイヤサポート７１が引き上げられ、トリップピン７２によってインターロックプレート７３の先端部が押し上げられる。
【００５１】
第２の開閉器７ｂにおいて、インターロックプレート７３の先端部が押し上げられると、インターロックプレート７３がシャフト２１を中心に時計方向に回転する。インターロックプレート７３の回転により、インターロックプレート７３にシャフト２１で連結された第２の開閉器７ｂのトリッププレート２２も時計方向に回転する。
【００５２】
トリッププレート２２の回転によってトリップバー２３が回転し、トリップバー２３の回転によって開閉機構部１１のラッチが引外される。これにより、第２の開閉器７ｂを閉状態にする投入動作ができなくなることから、第１の開閉器７ａが閉状態である場合において、第２の開閉器７ｂを開状態に維持させることができる。
【００５３】
すなわち、第１の開閉器７ａが投入されると、第２の開閉器７ｂが投入できなくなる。同様に、第２の開閉器７ｂが投入されると、第１の開閉器７ａが投入できなくなる。このように、実施の形態１にかかる開閉システム１Ａにおいては、２つの開閉器７間において、一方の開閉器７が投入されると、他方の開閉器７は投入できなくなる。
【００５４】
したがって、実施の形態のインターロック装置３は、メインシャフト１０の回転方向が異なる開閉器２および開閉器７のいずれに取り付けても、一方の開閉器が閉状態である場合に他方の開閉器を開状態に維持することができる。
【００５５】
また、連動プレート６４は、Ｕ字状に形成されており、図１４に示すように、連動プレート６４の延伸部分６５に沿った方向へ連動プレート４２の他端部４２２を押すことができる。そのため、連動プレート４２の他端部４２２へ加える力が分散することを抑制でき、連動プレート６４を効率的に押すことができる。
【００５６】
なお、連動プレート６４の形状はＵ字状に限定されない。図１６は、図６に示す連動プレート６４と異なる形状の連動プレート６４を有する第１のインターロック装置３ａの開状態における断面図であり、図１７は、図１６に示す状態から第１の開閉器７ａが閉状態に移行した場合の状態を示すインターロック装置の断面図である。
【００５７】
図１６に示す連動プレート６４は、Ｌ字状に形成され、一端部６４１に作動ピン６２が固定され、屈曲部分である中途部がシャフト６３によって軸支される。図１７に示すように、連動プレート６４は、図１４に示す連動プレート６４の場合と同様に、駆動プレート５１の回転により、シャフト６３を中心に反時計方向に回転し、連動プレート６４の他端部６４２が連動プレート４２の他端部４２２を押し上げる。
【００５８】
このように、連動プレート６４をＬ字状に形成することで、図１７に示すように、図１４に示す連動プレート６４に比べ、シャフト６３の位置を上方にすることができるため、ケース部３３のサイズを抑えることができる。なお、連動プレート６４は、Ｕ字状であってもＬ字状であってもよく、また、Ｕ字状およびＬ字状以外の形状であってもよい。例えば、連動プレート６４は、三角形状であってもよい。すなわち、連動プレート６４は、駆動プレート５１の時計方向の回転によって生じる作動ピン６２の移動によって連動プレート４２の他端部４２２を押すことができる構成であればよい。
【００５９】
また、上述したインターロック装置３では、連動プレート４２の他端部４２２が押し上げられる構成であるが、第２の作動部５３は、駆動プレート５１の時計方向の回転に連動して連動プレート４２の他端部４２２を移動させる構成であればよい。
【００６０】
また、インターロック装置３は、メインシャフト１０の回転方向が反時計方向である場合に第１の作動部５２によって伝達部４０の他端部４６が押され、メインシャフト１０の回転方向が時計方向である場合に第２の作動部５３によって伝達部４０の他端部４６が押される構成に限定されない。すなわち、インターロック装置３は、メインシャフト１０の回転方向が時計方向である場合に第１の作動部５２によって伝達部４０の他端部４６が押され、メインシャフト１０の回転方向が反時計方向である場合に第２の作動部５３によって伝達部４０の他端部４６が押される構成であってもよい。
【００６１】
以上のように、実施の形態１にかかる第１のインターロック装置３ａは、第１の電路を開閉する第１の開閉器２ａに設けられたメインシャフト１０の回転に連動して第１の開閉器２ａの開閉状態を出力する開閉状態出力部３１と、第２の電路を開閉する第２の開閉器２ｂの閉状態を入力した場合に、第１の開閉器２ａの閉状態を阻止する閉状態阻止部３２とを備える。開閉状態出力部３１は、第１の開閉器２ａの開閉状態を出力する一端部４５を他端部４６の移動に伴って移動させる伝達部４０と、第１の開閉器２ａのメインシャフト１０の回転に基づいて伝達部４０の他端部４６を移動させる駆動部５０とを備える。駆動部５０は、第１の開閉器２ａを開状態から閉状態にする場合のメインシャフト１０の回転方向が時計方向および反時計方向のうち一方である第１の方向である場合と他方である第２の方向である場合とで伝達部４０の他端部４６を移動可能な構造を備える。これにより、第１の開閉器２ａのメインシャフト１０の回転方向に依存することなく第１の開閉器２ａの開閉状態を第２のインターロック装置３ｂへ出力し、第２のインターロック装置３ｂによって第２の開閉器２ｂを閉状態に維持させることができる。
【００６２】
また、駆動部５０は、メインシャフト１０に駆動され、メインシャフト１０の回転に伴って回転する駆動プレート５１と、メインシャフト１０の回転方向が第１の方向である場合に駆動プレート５１に押されて伝達部４０の他端部４６を移動させる第１の作動部５２と、メインシャフト１０の回転方向が第２の方向である場合に駆動プレート５１に押されて伝達部４０の他端部４６を移動させる第２の作動部５３とを備える。このように、第１の作動部５２と第２の作動部５３とでメインシャフト１０の回転を伝達部４０へ伝えることができることから、例えば、第１の作動部５２を有するインターロック装置に第２の作動部５３を付加することによってインターロック装置３の構成にすることができるため、インターロック装置３の設計を容易に行うことができる。
【００６３】
また、第１の作動部５２は、伝達部４０の他端部４６に固定され、メインシャフト１０の回転方向が第１の方向である場合に駆動プレート５１に押される第１の作動ピンの一例である作動ピン６１を含む。第２の作動部５３は、メインシャフト１０の回転方向が第２の方向である場合に駆動プレート５１に押される第２の作動ピンの一例である作動ピン６２と、一端部６４１に作動ピン６２が固定され、かつ、中途部がシャフト６３で軸支されており、作動ピン６２の移動に伴ってシャフト６３を中心として回転し、他端部６４２が伝達部４０の他端部４６を押して移動させる連動プレート６４とを備える。これにより、第２の作動部５３を単純な構成にすることができ、例えば、インターロック装置３の製造コストを抑制することができる。
【００６４】
また、連動プレート６４は、Ｕ字状に形成される。連動プレート６４をＵ字状に形成することで、図１４に示すように、連動プレート６４の延伸部分６５に沿った方向へ連動プレート４２の他端部４２２を押すことができるため、連動プレート４２の他端部４２２へ加える力が分散することを抑制でき、連動プレート６４を効率的に押すことができる。
【００６５】
実施の形態２．
実施の形態２にかかるインターロック装置は、駆動部５０の構成が、実施の形態１と異なる。以下においては、実施の形態１と同様の機能を有する構成要素については同一符号を付して説明を省略し、実施の形態１のインターロック装置３と異なる点を中心に説明する。
【００６６】
図１８は、実施の形態２にかかるインターロック装置が側面に取り付けられた開状態の第１の開閉器２ａの正面図であり、図１９は、図１８に示すXIX−XIX線に沿った断面図であり、図２０は、図１８に示すXX−XX線に沿った断面図である。なお、第２の開閉器２ｂにも同様に、実施の形態２にかかるインターロック装置３ｃと同じ構成を有する不図示のインターロック装置３ｄが取り付けられる。インターロック装置３ｃとインターロック装置３ｄとの関係は、実施の形態１にかかるインターロック装置３ａとインターロック装置３ｂと同様である。
【００６７】
図１９に示すように、実施の形態２にかかるインターロック装置３ｃは、第１の開閉器２ａの開閉状態を出力する開閉状態出力部３１Ａと、第２の開閉器２ｂの閉状態を入力した場合に、第１の開閉器２ａの閉状態を阻止する閉状態阻止部３２と、開閉状態出力部３１Ａおよび閉状態阻止部３２を覆うケース部３３Ａとを備える。ケース部３３Ａは、実施の形態１にかかるケース部３３と外形が異なる。
【００６８】
開閉状態出力部３１Ａは、伝達部４０と、開閉器２におけるメインシャフト１０の回転に基づいて伝達部４０の他端部４６を移動させる駆動部５０Ａとを備える。駆動部５０Ａは、メインシャフト１０に駆動され、メインシャフト１０の回転に伴ってメインシャフト１０を中心として回転する駆動プレート５１Ａと、伝達部４０の他端部４６に固定され、回転した駆動プレート５１Ａによって押された場合に伝達部４０の他端部４６を移動させる作動ピン６１とを備える。駆動プレート５１Ａは、扇形状に形成されており、円弧部分８２を先端とし、基端がメインシャフト１０に固定される。なお、説明を分かり易くするために、図１８などにおいて、図２０に示す駆動プレート５１Ａの状態を二点鎖線で表す。
【００６９】
次に、第１の開閉器２ａに接続されたインターロック装置３ｃの動作について説明する。図２１は、第１の開閉器２ａが閉状態になった場合における第１のインターロック装置３ｃの状態を示す断面図である。第１の開閉器２ａが図１９に示す開状態から閉状態へ移行する際に、第１の開閉器２ａのメインシャフト１０が反時計方向に回転する。そのため、メインシャフト１０に取り付けられている駆動プレート５１Ａも反時計方向に回転し、図２１に示すように、回転する駆動プレート５１Ａによって作動ピン６１が押し上げられる。
【００７０】
これにより、作動ピン６１が固定されている連動プレート４２の他端部４２２が押し上げられることから、連動プレート４２の一端部４２１がシャフト４４を中心として反時計方向に回転し、連動プレート４２の一端部４２１に連結されたワイヤサポート４１が引き下げられる。ワイヤサポート４１が引き下げられると、ワイヤサポート４１に固定されたワイヤー５ａも引き下げられる。なお、ワイヤー５ａが引き下げられたときの動作は、実施の形態１にかかる開閉システム１と同じであるため、説明を省略する。
【００７１】
次に、メインシャフト１０の回転方向が開閉器２と逆方向に回転する第１の開閉器７ａに接続されたインターロック装置３ｃの動作について説明する。図２２は、開状態の第１の開閉器７ａに取り付けられた第１のインターロック装置３ｃの断面図であり、図２３は、第１の開閉器７ａが閉状態になった場合における第１のインターロック装置３ｃの状態を示す断面図である。なお、第２の開閉器７ｂにも同様に、インターロック装置３ｃが取り付けられる。
【００７２】
図２２に示すように、第１の開閉器７ａに取り付けられるインターロック装置３ｃは、第１の開閉器２ａに取り付けられる場合と、駆動プレート５１Ａの取り付け位置が異なる。すなわち、駆動プレート５１Ａは、第１の開閉器２ａに取り付けられる場合は、図１９に示すように、メインシャフト１０の外周回りの位置のうち先端である円弧部分８２が後方に向く第１の位置に取り付けられる。一方、駆動プレート５１Ａは、第１の開閉器７ａに取り付けられる場合は、図２２に示すように、メインシャフト１０の外周回りの位置のうち円弧部分８２が前方に向く第２の位置に取り付けられる。
【００７３】
このように、インターロック装置３ｃは、第１の開閉器２ａに取り付けられる場合と、第１の開閉器７ａに取り付けられる場合とで、開状態におけるメインシャフト１０の外周への駆動プレート５１Ａの取り付け位置が異なる。また、不図示のインターロック装置３ｄが第２の開閉器２ｂ，７ｂに取り付けられる場合も同様に、開状態におけるメインシャフト１０への駆動プレート５１Ａの取り付け位置が異なる。なお、駆動プレート５１Ａの取り付け位置は、メインシャフト１０の外周回りの取り付け角度ということもできる。
【００７４】
第１の開閉器７ａが図２２に示す開状態から閉状態へ移行する際に、第１の開閉器７ａのメインシャフト１０が時計方向に回転する。そのため、メインシャフト１０に取り付けられている駆動プレート５１Ａも時計方向に回転し、図２３に示すように、回転する駆動プレート５１Ａの回転によって作動ピン６１が押し上げられる。
【００７５】
これにより、作動ピン６１が固定されている連動プレート４２の他端部４２２が押し上げられることから、連動プレート４２の一端部４２１がシャフト４４を中心として反時計方向に回転し、連動プレート４２の一端部４２１に連結されたワイヤサポート４１が引き下げられる。ワイヤサポート４１が引き下げられると、ワイヤサポート４１に固定されたワイヤー５ａも引き下げられる。なお、ワイヤー５ａが引き下げられたときの動作は、実施の形態１にかかる開閉システム１Ａと同じであるため、説明を省略する。
【００７６】
このように、実施の形態２にかかるインターロック装置３ｃは、メインシャフト１０に取り付けられる駆動プレート５１Ａの形状に特徴を有する。駆動プレート５１Ａを扇形状にすることで、作動ピン６１におけるメインシャフト１０からの距離を駆動プレート５１Ａの直線部分８１，８３で急激に変化させ、円弧部分８２で一定にすることができるため、ワイヤー５ａの引き下げを迅速に行うことができる。
【００７７】
また、駆動プレート５１Ａを扇形状にすることで、メインシャフト１０の回転方向がいずれの場合でも、駆動プレート５１Ａが作動ピン６１を押し上げる。そのため、メインシャフト１０の回転方向に依存することなく第１の開閉器２ａ，７ａの閉状態が第２の開閉器２ｂ，７ｂへ伝わり第２の開閉器２ｂ，７ｂの開状態を維持することができる。
【００７８】
なお、メインシャフト１０への駆動プレート５１Ａの取り付けは、例えば、メインシャフト１０の周方向の異なる複数の箇所にキー溝を設け、かかるキー溝のいずれかに駆動プレート５１Ａの凸部を嵌合させることで、駆動プレート５１Ａの取り付け位置を変更することができる。メインシャフト１０への駆動プレート５１Ａの取り付けは、キー溝以外を用いて行うこともできる。
【００７９】
また、駆動プレート５１Ａの形状は、扇形状に限定されない。図２４および図２５は、駆動プレート５１Ａの他の形状を示す図である。図２４に示す駆動プレート５１Ａは楕円形状を有しており、メインシャフト１０の回転位置が開状態の位置から閉状態の位置へ近づくほど、作動ピン６１におけるメインシャフト１０からの距離が長くなる。これにより、回転する駆動プレート５１Ａの回転によって作動ピン６１を押し上げることができる。
【００８０】
図２５に示す駆動プレート５１Ａは、２つの扇形状部８４，８５が一体となった形状であり、一方の扇形状部８４の円弧部分８６は後方に向いており、他方の扇形状部８５の円弧部分８７は前方に向いている。これにより、メインシャフト１０の回転方向がいずれの場合でも、駆動プレート５１Ａが作動ピン６１を押し上げることができる。なお、この場合、駆動プレート５１Ａのメインシャフト１０への取り付け位置を変えることなく、メインシャフト１０の回転方向がいずれの場合でも、駆動プレート５１Ａが作動ピン６１を押し上げることができる。
【００８１】
なお、実施の形態１の場合と同様に、伝達部４０は、図１９に示す構成に限定されず、作動ピン６１によって他端部４６が移動し、他端部４６の移動に連動して一端部４５が移動する構成であればよい。
【００８２】
以上のように、実施の形態２にかかるインターロック装置３ｃの駆動部５０Ａは、第１の開閉器２ａが開状態から閉状態になる場合のメインシャフト１０の回転方向が時計方向である場合と反時計方向である場合とで伝達部４０の他端部４６を移動可能な構造を備える。例えば、駆動部５０Ａは、メインシャフト１０に基端部が取り付けられ、メインシャフト１０の回転に伴って回転する駆動プレート５１Ａと、伝達部４０の他端部４６に固定され、回転した駆動プレート５１Ａによって押された場合に伝達部４０の他端部４６を移動させる作動ピン６１とを備える。駆動プレート５１Ａは、メインシャフト１０の第１の位置に取り付けられた場合にメインシャフト１０の反時計方向への回転によって伝達部４０の他端部４６を移動させ、メインシャフト１０の第２の位置に取り付けられた場合にメインシャフト１０の時計方向への回転によって伝達部４０の他端部４６を移動させる。このように、駆動プレート５１Ａのメインシャフト１０への取り付け位置を変えることで、メインシャフト１０の回転方向がいずれの場合でも、駆動プレート５１Ａが作動ピン６１を押し上げることができる。
【００８３】
また、駆動プレート５１Ａを扇形状に形成することで、作動ピン６１におけるメインシャフト１０からの距離を駆動プレート５１Ａの直線部分８１，８３で急激に変化させ、円弧部分８２で一定にすることができるため、ワイヤー５ａの引き下げを迅速に行うことができる。
【００８４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００８５】
１，１Ａ  開閉システム、２，２ａ，２ｂ，７，７ａ，７ｂ  開閉器、３，３ａ，３ｂ，３ｃ  インターロック装置、４，４ａ，４ｂ  ワイヤケーブル、５ａ，５ｂ  ワイヤー、６  筐体、７，７ａ，７ｂ  開閉器、１０  メインシャフト、１１  開閉機構部、１２  第１のリンク、１３  第２のリンク、１３ａ  リンクピン、１４  可動子、１４ａ  可動接点、１５  電源側固定導体、１５ａ  固定接点、１６  負荷側固定導体、１７  可撓導体、１８  接圧ばね、２０  インターロックプレート、２１，４４，６３  シャフト、２２  トリッププレート、２３  トリップバー、３１，３１Ａ  開閉状態出力部、３２  閉状態阻止部、３３  ケース部、４０  伝達部、４１，７１  ワイヤサポート、４２，６４  連動プレート、４３  連結ピン、４５，６５，１２１，１３１，１４１，１７１，４１１，４２１，６４１  一端部、４６，６６，１２２，１３２，１４２，１７２，４１２，４２２，６４２  他端部、５０，５０Ａ  駆動部、５１，５１Ａ  駆動プレート、５２  第１の作動部、５３  第２の作動部、６１，６２  作動ピン、７２  トリップピン、８１，８３  直線部分、８２，８６，８７  円弧部分、８４，８５  扇形状部。
【図１】
0006707202.tif 000002
【図２】
0006707202.tif 000003
【図３】
0006707202.tif 000004
【図４】
0006707202.tif 000005
【図５】
0006707202.tif 000006
【図６】
0006707202.tif 000007
【図７】
0006707202.tif 000008
【図８】
0006707202.tif 000009
【図９】
0006707202.tif 000010
【図１０】
0006707202.tif 000011
【図１１】
0006707202.tif 000012
【図１２】
0006707202.tif 000013
【図１３】
0006707202.tif 000014
【図１４】
0006707202.tif 000015
【図１５】
0006707202.tif 000016
【図１６】
0006707202.tif 000017
【図１７】
0006707202.tif 000018
【図１８】
0006707202.tif 000019
【図１９】
0006707202.tif 000020
【図２０】
0006707202.tif 000021
【図２１】
0006707202.tif 000022
【図２２】
0006707202.tif 000023
【図２３】
0006707202.tif 000024
【図２４】
0006707202.tif 000025
【図２５】
0006707202.tif 000026